Podtech/llm-jp-corpus-v4-ja_patent huggingface dataset:
(57)【要約】【課題】球体の表面に鮮明に捺印できるスタンプを提供する。【解決手段】ボールＢの表面Ｂ１に捺印するための印面を有するスタンプ１であって、印面１２が太鼓橋状に中央が突出している。印面１２は、中央が太鼓橋状に突出して形成された台座１１に貼り付けられている。台座１１は半球状に形成されたスタンプ本体１３に一体的に形成され、スタンプ本体１３には半球状に形成された蓋体１４が嵌合されてスタンプ全体として球状になる。【選択図】  図１
2005014257.tif 000002
【特許請求の範囲】
【請求項１】
球体の表面に捺印するための印面を有するスタンプであって、前記印面が、太鼓橋状に中央が突出していることを特徴とするスタンプ。
【請求項２】
前記印面は、中央が太鼓橋状に突出して形成された台座に貼り付けられていることを特徴とする請求項１記載のスタンプ。
【請求項３】
前記台座は半球状に形成されたスタンプ本体に一体的に形成され、前記スタンプ本体には半球状に形成された蓋体が嵌合されてスタンプ全体として球状になることを特徴とする請求項２記載のスタンプ。
【発明の詳細な説明】
【０００１】
【技術分野】
本発明は、サッカーボール、バレーボール、野球ボール、ゴルフボールなどの各種ボールに捺印するのに適したスタンプに関する。
【０００２】
【背景技術】
図４に示すように、ゴム印と称される従来のスタンプ１は木製台座１１の先端に印字を刻印したゴム製印面１２が貼り付けられてなるが、この種のスタンプ１を用いてボールＢの表面Ｂ１に捺印する場合、球面と平面との接触であることから一度には押せず、印字がずれたり、不均一となったり、あるいは滑ったりして鮮明に捺印することが困難であった。
【０００３】
【発明の開示】
本発明は、球体の表面に鮮明に捺印できるスタンプを提供することを目的とする。
【０００４】
上記目的を達成するために、本発明によれば、球体の表面に捺印するための印面を有するスタンプであって、前記印面が、太鼓橋状に中央が突出していることを特徴とするスタンプが提供される。
【０００５】
本発明において、前記印面は、中央が太鼓橋状に突出して形成された台座に貼り付けられていることがより好ましい。
【０００６】
また本発明において、前記台座は半球状に形成されたスタンプ本体に一体的に形成され、前記スタンプ本体には半球状に形成された蓋体が嵌合されてスタンプ全体として球状になることがより好ましい。
【０００７】
本発明のスタンプでは、印面が太鼓橋状に形成されているので球体の表面に捺印する場合には、印面の一端面と球体の表面とを合わせたのち印面を球体の表面に倣って印面の他端面まで転がすように捺印する。
【０００８】
この一連の捺印動作において、本発明のスタンプでは印面が太鼓橋状に形成されているので、印面の一端面から中央、そして印面の他端面まで、スタンプ本体の重心位置から印面までの距離がほぼ一定となり、これにより捺印動作中にスタンプ本体に作用する捺印力の反作用モーメントもほぼ一定となる。
【０００９】
これにより、捺印動作中に加わる捺印力が安定し、かつ一定となるので、印字がずれたり、不均一となったり、あるいは印面が滑ったりするといったことが防止でき、鮮明な捺印を行うことができる。
【００１０】
【発明の実施の形態】
以下、本発明の実施形態を図面に基づいて説明する。
図１は本発明の実施形態に係るスタンプを示す斜視図、図２は図１のＩＩ−ＩＩ線に沿う断面図、図３は本発明の実施形態に係るスタンプを用いてボールに捺印する動作を説明するための側面図である。
【００１１】
図１及び図２に示すように、本実施形態のスタンプ１は、スタンプ本体１３、台座１１、印面１２及び蓋体１４から構成されている。
【００１２】
スタンプ本体１３は、たとえばプラスチックにて半球状に形成され、半割りされた割面に台座１１が一体的に形成されている。台座１１の表面は、図１に示すＸＹＺ軸空間におけるＸＺ平面に対しては直線状に交わるが、ＹＺ平面に対しては円弧状（本発明の太鼓橋状に相当する。）に交わるように中央が凸に形成されている。
【００１３】
この台座１１の表面に、一主面に所望の印字が刻印されたゴム製印面１２が貼り付けられるが、印面１２そのものは平面状に形成し、印字を刻印したのち、上述した太鼓橋状の台座１１に貼り付ける。これにより、印面１２も台座１１の形状に倣って太鼓橋状になる。
【００１４】
蓋体１４もスタンプ本体１３の他方の球体を構成するようにたとえばプラスチックにて半球状に形成され、内部が印面１２や台座１１と干渉しないように中空状に形成されている。
【００１５】
半割りにされたスタンプ本体１３の割面の全周に段部１５が形成され、一方、同じく半割りにされた蓋体１４の割面の全周にも段部１６が形成されて、これらの段部１５，１６を合わせることで、スタンプ本体１３に蓋体１４を被せることができる。
このようなスタンプ１を用いてボールＢの表面Ｂ１に所望の印字を捺印する場合には、図３に示すようにスタンプ１の蓋体１４を取り外した上で、まずスタンプ本体１２の台座１１に貼り付けられた印面１２の一端面とボールＢの表面Ｂ１とを合わせる。この状態から印面１２をボールＢの表面Ｂ１に倣って滑らないように転がし、この動作を印面１２の他端面まで一連の動作で行う。
【００１６】
これで捺印が終了するが、この一連の捺印動作において、本実施形態のスタンプ１では印面１２が円弧状に形成されているので、印面１２の一端面から中央、そして印面１２の他端面まで、スタンプ本体１３の把持位置から印面１２までの距離がほぼ一定となり、これにより捺印動作中にスタンプ本体１３に作用する捺印力の反作用モーメントもほぼ一定となる。
【００１７】
これにより、捺印動作中に加わる捺印力が安定し、かつ一定となるので、印字がずれたり、不均一となったり、あるいは印面１２が滑ったりするといったことが防止でき、鮮明な捺印を行うことができる。
【００１８】
ちなみに、印面１２の太鼓橋形状は、好ましくは円弧状であるが楕円状であっても本発明の作用効果は幾分なりとも発揮できる。
【００１９】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明の実施形態に係るスタンプを示す斜視図である。
【図２】図１のＩＩ−ＩＩ線に沿う断面図である。
【図３】本発明の実施形態に係るスタンプを用いてボールに捺印する動作を説明するための側面図である。
【図４】従来のスタンプを用いてボールに捺印する場合の問題点を説明するための側面図である。
【符号の説明】
Ｂ…ボール（球体）
Ｂ１…表面
１…スタンプ
１１…台座
１２…印面
１３…スタンプ本体
１４…蓋体
１５…段部
１６…段部
【図１】
2005014257.tif 000003
【図２】
2005014257.tif 000004
【図３】
2005014257.tif 000005
【図４】
2005014257.tif 000006
(57)【要約】【課題】表裏柄違い扉において扉の表裏に配設される表面材同士の端部を簡便に納める。【解決手段】扉基材（１）の木口部（２）の中央部に、木口部の長さ方向にのびる長溝（３）が形成され、扉基材の表裏に配設される柄の異なる２つの表面材（４）（５）が扉基材の木口部まで巻き込まれ、表面材同士の端部（６）（７）が長溝に差し込まれる。【選択図】          図１
2005014219.tif 000002
【特許請求の範囲】
【請求項１】
扉基材の木口部中央部に木口部の長さ方向にのびる長溝が形成され、扉基材の表裏に配設される柄の異なる２つの表面材が扉基材の木口部まで巻き込まれ、表面材同士の端部が前記長溝に差し込まれることを特徴とする表裏柄違い扉の木口納め構造。
【請求項２】
木口面における表面材同士の突合せ部に跨って木口面の長さ方向にのびる第２の長溝が形成され、この第２の長溝に目地材が嵌着される請求項１記載の表裏柄違い扉の木口納め構造。
【請求項３】
目地材が、木口面から突出するクッション部を有する請求項２記載の表裏柄違い扉の木口納め構造。
【発明の詳細な説明】
【０００１】
【発明の属する技術分野】
この出願の発明は、表裏柄違い扉の木口納め構造に関するものである。さらに詳しくは、この出願の発明は、扉の表裏に配設される表面材同士の端部を簡便に納めることのできる表裏柄違い扉の木口納め構造に関するものである。
【０００２】
【従来の技術】
内装用の建具として、表裏で柄の異なる表裏柄違い扉が知られている。この表裏柄違い扉では、扉の表面側と裏面側に柄の異なる表面材が配設されるため、表面材同士の端部の納めが問題となっている。一般には、扉基材の周りを囲むようにエッジ材が配設されている（たとえば、特許文献１参照）。
【０００３】
【特許文献１】
特開平８−１０５２７４号公報
【０００４】
【発明が解決しようとする課題】
しかしながら、エッジ材の配設は、その分扉のパーツが増えることになり、また、手間がかかるため、簡便に表面材同士の端部を納めることのできる手段の実現が望まれている。
【０００５】
この出願の発明は、このような事情に鑑みてなされたものであり、扉の表裏に配設される表面材同士の端部を簡便に納めることのできる表裏柄違い扉の木口納め構造を提供することを解決すべき課題としている。
【０００６】
【課題を解決するための手段】
この出願の発明は、上記の課題を解決するものとして、扉基材の木口部中央部に木口部の長さ方向にのびる長溝が形成され、扉基材の表裏に配設される柄の異なる２つの表面材が扉基材の木口部まで巻き込まれ、表面材同士の端部が前記長溝に差し込まれることを特徴とする表裏柄違い扉の木口納め構造（請求項１）を提供する。
【０００７】
また、この出願の発明は、木口面における表面材同士の突合せ部に跨って木口面の長さ方向にのびる第２の長溝が形成され、この第２の長溝に目地材が嵌着されること（請求項２）、目地材が、木口面から突出するクッション部を有すること（請求項３）をそれぞれ一態様として提供する。
【０００８】
以下、図面に沿ってこの出願の発明の表裏柄違い扉の木口納め構造についてさらに詳しく説明する。
【０００９】
【発明の実施の形態】
図１は、この出願の発明の表裏柄違い扉の木口納め構造の概要を示した工程図である。
【００１０】
たとえば図１に示したように、この出願の発明の表裏柄違い扉の木口納め構造では、扉基材（１）の左右側面部である木口部（２）の中央部に、木口部（２）の長さ方向にのびる長溝（３）が形成される。扉基材（１）の表裏に配設される柄の異なる２つの表面材（４）（５）は、Ｖカット等に加工され、扉基材（１）の木口部（２）まで巻き込まれる。そして、表面材（４）（５）同士の端部（６）（７）が長溝（３）に差し込まれる。
【００１１】
このように、この出願の発明の表裏柄違い扉の木口納め構造では、扉の表裏に配設される柄の異なる２つの表面材（４）（５）同士の端部（６）（７）は、扉基材（１）の木口部（２）の中央部に形成された長溝（３）に差し込まれて納められる。このため、従来のエッジ材は不要であり、また、表面材（４）（５）同士の端部（６）（７）の長溝（３）への差込みは容易であり、手間がかからない。柄の異なる２つの表面材（４）（５）同士の端部（６）（７）は、この出願の発明の表裏柄違い扉の木口納め構造により、簡便に納められる。端部（６）（７）が長溝（３）に差し込まれて納められた２つの表面材（４）（５）は、図１に示したように、扉の木口において突き合わされる。
【００１２】
なお、この出願の発明の表裏柄違い扉の木口納め構造では、表面材（４）（５）の厚みが異なる等により扉の木口において段差が生じたり、長溝（３）に差し込まれた端部（６）（７）が跳ね上がるのを抑制したりするために、図２に示したように、木口面における表面材（４）（５）同士の突合せ部に跨り、かつ木口面の長さ方向にのびる第２の長溝（８）を形成し、この第２の長溝（８）に目地材（９）を嵌着することができる。第２の長溝（８）によって表面材（４）（５）は木口面において継ぎ目が分断され、突き合うことがない。そして、第２の長溝（８）に埋設される目地材（９）により段差が解消される。また、目地材（９）により、表面材（４）（５）の端部（６）（７）が差し込まれた長溝（３）から跳ね出るのが抑制される。
【００１３】
このような目地材（９）には各種の構成を有するものを採用することができる。たとえば、第２の長溝（８）の縁部に被着可能な鍔部を左右に有する樋型のもの（９ａ）、同じく鍔部を左右に有する柱状のもの（９ｂ）、あるいは木口面から突出するクッション部（１０）を有するもの（９ｃ）等が示される。扉が引き戸の場合、木口面から突出するクッション部（１０）を有する目地材（９ｃ）を第２の長溝（８）に配設することにより、クッション部（１０）を戸当りとすることができる。
【００１４】
もちろん、この出願の発明は、以上の実施形態によって限定されるものではない。扉基材の構成、表面材の柄、目地材の構成等の細部については様々な態様が可能であることはいうまでもない。
【００１５】
【発明の効果】
以上詳しく説明したとおり、この出願の発明によって、表裏柄違い扉において扉の表裏に配設される表面材同士の端部を簡便に納めることができる。
【図面の簡単な説明】
【図１】この出願の発明の表裏柄違い扉の木口納め構造の概要を示した工程図である。
【図２】この出願の発明の表裏柄違い扉の木口納め構造の一実施形態を示した要部斜視図である。
【符号の説明】
１    扉基材
２    木口部
３    長溝
４、５    表面材
６、７    端部
８    第２の長溝
９、９ａ、９ｂ、９ｃ    目地材
１０    クッション部
【図１】
2005014219.tif 000003
【図２】
2005014219.tif 000004
(57)【要約】【課題】木材の防腐処理材において、タンニン類や、タンニン類とヒバ油、桐油、ヤシ油等の樹脂油とを混合して組成物とした材料を、木材に浸透させてできた、環境に負荷を与えない新たな防腐処理木材に関する。【解決手段】タンニン類や、タンニン類とヒバ油、桐油、ヤシ油等の樹脂油との混合物を木材防腐処理方法の浸漬拡散法、温冷浴法、加圧注入法で浸漬注入することで得られる。【特許請求の範囲】
【請求項１】
木材の防腐処理において、タンニン類を主成分とする水性物を、防腐処理方法の浸漬拡散法、温冷浴法、加圧注入法で浸漬注入することで、環境に負荷をかけず、人体に害を及ぼさない木材製品となることを特徴とした木材防腐処理材。
【請求項２】
木材の防腐処理において、タンニン類を主成分とする水性物と、木材の撥水性を高めて腐朽することを抑制するヒバ油、桐油、ヤシ油等の樹脂油を混合した組成物を、防腐処理方法の浸漬拡散法、温冷浴法、加圧注入法で浸漬注入することで、環境に負荷をかけず、人体に害を及ぼさない木材製品となることを特徴とした木材防腐処理材組成物。
【発明の詳細な説明】
【０００１】
【発明の属する技術分野】
本発明は、例えば日本で１００年以上も塗料として使用されてきた柿渋や、飲料とされてきたお茶等に含まれる主成分のタンニン類を防腐機能材とし、また、ヒバ油、桐油、ヤシ油等の樹脂油との組成物を原料とした防腐処理材を木材に注入することで、建物屋内の内装材、建物屋外の外装材、土木資材、遊具材等に使用することができる。また、本発明の防腐材や、防腐材組成物で処理された木材は環境に負荷をかけない安全な物で、例えば幼児、子供等が手で触れ、触れた手を口に入れたりしても無害であったり、シックハウス対策に有効であるなど木材の使用範囲を広げるものである。
【０００２】
【従来の技術】
現在までの木材の防腐処理材として使用されていたものは、タール系のクレオソート油、フェノール系ベンタクロルフェニルラウレート、トリプロルフェノール、キノリン系Ｂ−オキシキノリン剤、ナフテン酸系ナフテン酸剤、有機スズ系トリプチルスズオキシド、有機ヨウ素系クロルフェニル、ヨードプロパルギルホルマール、クロム・銅・ヒ素系、フェノールフッ素系等で、有害な物質を主成分としている物であることから、環境への影響が課題とされてきた。
【０００３】
【発明が解決しようとする課題】
前記のような現状から、本発明は、木材の防腐処理材において、直接的にも、木材に防腐処理後においても環境に負荷をかけない防腐処理材であり、安全な防腐処理材組成物を提供することにある。
【０００４】
【課題を解決するための手段】
本発明は、歴史的に日本で防腐機能を有したタンニン類の柿渋、お茶等を木材防腐材としたり、さらにヒバ油、桐油、ヤシ油等の樹脂油との混合組成物を木材防腐処理方法の浸漬拡散法、温冷浴法、加圧注入法で浸漬注入することで、環境に負荷をかけず、人体に害を及ぼさない木材及び木材製品とする。
【０００５】
【発明の実施の形態】
本発明は、詳細な説明において、用途、適応範囲を正しく示す。また、本説明の詳細な説明の防腐処理材及び組成物で、処理木材の種類、用途、形状、形態等は限定されない。
【０００６】
本発明の請求項１において、タンニン類の柿渋原液を水で１０倍に希釈した水溶液を８０℃まで加温した水槽に、気乾杉材を投入し、木材中の空気が気泡となり液上部に現れ終息するのをまって、投入木材を取り出し、常温の上記水溶液に再度投入することで、木材中に浸漬させる方法で実施した。
【０００７】
上記の木材防腐処理方法は温冷浴法による方法であるが、この方法は、使用した柿渋のタンニン類が加熱による変質が無いことを利用した方法であり最適な方法である。また、柿渋原液のまま同様に使用しても良い。
【０００８】
温冷浴法で処理された杉材を切断し、杉材外部の辺材部、中心部の芯材部に、柿渋のタンニン類に接触すると黒く変色させる鉄分の二酸化鉄を各部位に接触させ、黒く変色することを確認した結果、柿渋のタンニン類が木材に十分に浸漬することが明らかとなった。
【０００９】
上記の方法で得られた杉材は、古色のやわらかい赤色となり、建物の内装、外装に新たな新材を提供することが可能となる。そして、製造に使用する水槽を鋼板にすることでタンニン黒が得られ、杉材に浸透させることで淡黒色の杉材となり、銘木の神代杉調の仕上がりになることが本発明の特徴の一つである。
【００１０】
本発明のタンニン類による木材防腐処理方法での製造設備において、コンクリート製水槽や鋼板製、木製、ホーロ鋼板製等であれば良い。木材防腐処理液を温める熱源と、温度制御装置が主な設備である。この温冷浴法が最適なのは、柿渋のタンニン類には熱に強く変質しない特徴があり、さらに複数回の使用が可能であるからである。
【００１１】
その他、常温の木材防腐処理材である柿渋タンニン類に浸した木材を取り出してから堆積し、ビニール布等で被覆して一定期間放置することで、木材中の水分に拡散して浸透させる浸漬拡散方や、密閉タンク中に木材を収納し、圧力をかけて処理液を注入する方法の加圧注入法も有効な方法である。
【００１２】
請求項２において、タンニン類と、ヒバ油、桐油、ヤシ油等の樹脂油との混合液を、木材に浸透させることで撥水性が高まり、屋外や土中に使用することのできる木材となる。また、処理方法は、浸漬拡散法、温冷浴法、加圧注入法が可能である。最適な方法は、８０℃に加熱した上記処理液による加圧注入法が良好である。ヒバ油、桐油、ヤシ油等の樹脂油は、単体で木材の防腐材として、加圧注入法で現在行われている。
【００１３】
本発明で使用するヒバ油、桐油、ヤシ油等の樹脂油においては、木材の撥水性を高めることが目的である。
【００１４】
本発明で使用するタンニン類の特性及び従来の利用方法について、化学特性はカテキンガレート、ガロカテキンガレート、カテキン等の縮合体で、分子量約１５，０００前後の高分子縮合体であり、酵素の抑制、酸化抑制効果、脂質過酸化の抑制、還元作用、抗菌作用、脱臭作用といった特性を有する。従来の利用方法として、竹、紙、魚網、布、木に対して塗布することで、補強、防腐、防水性の向上に利用されていた。
【００１５】
本発明の使用方法である木材の内部まで浸透させ補強、防腐、防水性能を負荷させる方法は無かった。また、鉄分に接触させ、古色の淡黒色、やわらかい赤色にすること等も無かった。
【００１６】
本発明の使用される木材は、杉、檜、松、竹等があるが、特に杉材は良好であり、杉間伐材に使用することで間伐材の有効利用にも貢献するもので、用途として土木資材、建築資材、建物内外装材、木製遊具、玩具、建具材、家具材と広く使用することが可能である。また、タンニン類に鉄分を接触させたり、松煙等を加えたりすることで、銘木の神代杉調の色彩を有することができ、らんま、彫刻材としての使用も可能である。
【００１７】
タンニン類を使用する防腐処理木材は、シックハウス等のアレルギー対策に有効であり、生活環境、自然環境に負荷を与えない貴重な材料であり安価な材料である。
(57)【要約】【課題】従来の自転車でトレーニング機能を持った自転車では負荷装置が機械的な摺動ブレーキであるため応答性が悪く、また、人力も摩擦熱として消費されてしまい、成果が残らずトレーニングの達成感が得られなかった。このため、トレーニング用として使用されることが少なくなる問題を持っていた。本発明はこのような、従来機種が持つ欠点を解決し、トレーニングの成果を直ちに結果として得られ、継続的に使用されるようにすることを課題とする。【解決手段】本発明は自転車走行者の心拍数を検出し、この値が目標心拍数になるようにアシストモータを発電機として制御し、駆動源に人力エネルギーを回生エネルギーとして蓄電させ、その蓄電量や、走行距離の延長という具体的な現象から達成感を得るようにしたことを特徴とする電動アシスト自転車。【選択図】  図１
2005014868.tif 000002
【特許請求の範囲】
【請求項１】
自転車走行者の心拍数を検出し、この値が目標心拍数になるようにアシストモータを発電機として制御し、駆動源に回生エネルギーを蓄電させることを特徴とする電動アシスト自転車。
【請求項２】
請求項１の自転車で、目標心拍数を可変設定できる機能を持つことで、自転車走行者各自の体力に応じて最適な設定が出来ることを特徴とする電動アシスト自転車。
【請求項３】
自転車のスタンドを立て、自転車を自立させた状態でペダルを踏んでも、請求項１および２の制御が出来るようにしたことを特徴とする電動アシスト自転車。
【請求項４】
請求項１，２および３などで充電された電気エネルギーを外部に取り出せるよう接続口を設けたことを特徴とする電動アシスト自転車。
【発明の詳細な説明】
【００１】
【発明の属する技術分野】本発明はトレーニング機能を有する自転車に関するものである。
【００２】
【従来の技術】従来の自転車でトレーニング機能を持った自転車では負荷装置が機械的な摺動ブレーキであるため応答性が悪く、また、人力も摩擦熱として消費されてしまい、成果が残らずトレーニングの達成感が得られなかった。
【００３】このため、トレーニング用として使用されることが少なくなる問題を持っていた。
【発明が解決しょうとする課題】本発明はこのような、従来機種が持つ欠点を解決し、トレーニングの成果を直ちに結果として得られ、継続的に使用されるようにすることを課題とする。
【００４】
【課題を解決するための手段】本発明は自転車走行者の心拍数を検出し、この値が目標心拍数になるようにアシストモータを発電機として制御し、駆動源に回生エネルギーを蓄電させることを特徴とする電動アシスト自転車。
【００５】また、目標心拍数を可変設定できる機能を持つことで、自転車走行者各自の体力に応じて最適な設定が出来ることを特徴とする電動アシスト自転車。
【００６】以上のことを、自転車のスタンドを立て、自転車を自立させた状態でペダルを踏んでも、前述した制御が出来るようにしたことを特徴とする電動アシスト自転車。
【００７】また、充電された電気エネルギーを外部に取り出せるよう接続口を設けたことを特徴とする電動アシスト自転車。
【００８】
【発明の実施の形態】本発明の実施の形態について以下に説明する。
【００９】図１に本発明の制御構成図を示す。図において点線で囲んだ部分（１）は通常のアシスト自転車の制御部分で、アシストモータのトルクを人力トルクに比例して制御している。本発明では自転車走行者の心拍数検出値（２）と目標心拍数（３）をパターン発生器（４）の出力を加算器（５）で加算し、比例・積分器（６）をへて、リミッタ（７）を経由したものと、ペダル踏み力検出値（８）に比率計算器（９）をかけ算した値、すなわち、アシストトルク値を加算器（１１）で加算したものを最終のアシストトルクの指令値として出力する。
【０１０】このトルク指令値に従ってアシストモータのトルクを制御することによって目標心拍数が得られる。
【０１１】心拍数を制御する場合のモータトルクは（−）の指令値の動作、すなわち、モータは発電機として動作し、要求トルク値に見合う発電エネルギーを駆動電源に回生することになる。
【０１２】回生動作によって吸収された駆動電源への吸収量をバッテリーの残量表示器や、電圧値によって知ること、また、走行距離の延長からトレーニングの成果を見ることが出来る。
【０１３】以上の構成からなるので自転車の走行中はもちろん、スタンドを立てた停止状態でも実施が可能である。また電源出力を装置外に取り出せるようにする事で、アウトドアなどの発電設備のない場所での緊急電源として活用できる。
【０１４】
【発明の効果】本発明は従来の電動アシスト自転車が屋外走行時のみ使用されてきたことから、アシストモータを負荷装置として使用することで、屋内の運動器具としても使用でき、またアウトドアでの非常電源として使用拡大を図ることできる。
【０１５】人力充電が可能であることは環境的にクリーンな乗り物であり、また、軽い運動量で高齢者にも持続可能な健康補助遊具としての効果がある。
【図面の簡単な説明】
【図１】本発明の制御構成図である。
【符号の説明】
１          従来の電動アシスト自転車の制御部
２          心拍数検出
３          目標心拍数
４          パターン発生器
５          加算器
６          比例・積分器
７          リミッタ
８          ペダル踏み力検出値
９          比率計算器
１０        掛算器
１１        加算器
１２        モータ駆動回路
１３        駆動源
１４        アシストモータ
１５        速度検出器
【図１】
2005014868.tif 000003
(57)【要約】      （修正有）【課題】歩行補助具として使われる乳母車を小型化したかたちの歩行補助車において休憩時、後ろ向きに座ろうとする時、動かないようにするとともに福祉介護の補助として考案したので、製品の品質を軽く、強い材料とする。【解決手段】ラチェットの原理を使い車輪自体を前進はするが後進はしない構造にした。硬質プラスチックとアルミ合金を使用することにより、軽量化、摩耗の軽減する方法をとった。軸受け部にベアリングを使用して車輪が軽快に動くようにした。【選択図】図１
2005014870.tif 000002
【特許請求の範囲】
【請求項１】
介護用杖及び歩行補助用車の車輪の改良方法。
【発明の詳細な説明】
【０００１】
【発明の属する技術分野】
この発明は車輪が前進方向のみに回転し、後退しないようにした。
【０００２】
【従来の技術】
従来の構造では、車輪は前後進ともにフリーに回転している。
【０００３】
【発明が解決しようとする課題】
一般的に今の歩行補助具は乳母車の小型化したもので使用している人が疲れたときに休憩するための座席が前方についているものが多いが、停止しているときのブレーキ装置は手動で主輪を押さえる方法を取っている。完全に車輪を押さえて停止状態になっていないとき座席に後ろ向きに座ろうとすると車体が動いてしまい座れず思わぬ事故をおこすことになる。
【０００４】
【課題を解決するための手段】
車輪自体を前進はするが後退はしないようにした。
【０００５】
【本発明の実施の形態】
自転車の駆動ギヤー（フリーギヤー）及び締め付け工具のラジエットの原理の反対で後退するときに爪がかかるようにした。
高速回転を必要としないので装置は簡便にした、いまは杖にも小型化した車輪をつけたものがあるがこの車輪をつけると歩行時に杖に引き寄せる力を入れたとき杖が戻らないので杖に重心をかけることが出来る利点がある。
【０００６】
【発明の効果】
材料を軽量化し軸受けにベヤリングを使用することにより従来より軽快に使用することができる。
【図面の簡単な説明】
【図  １】本発明の本体Ａ側面図である。
【図  ２】本発明の本体Ｂ側面図である。
【図  ３】本発明の本体車軸Ａ側面図である。
【図  ４】本発明の本体車軸立面図である。
【図  ５】本発明の本体車輪Ａ側面図である。
【図  ６】本発明の本体車輪立面図である。
【図１】
2005014870.tif 000003
【図２】
2005014870.tif 000004
【図３】
2005014870.tif 000005
【図４】
2005014870.tif 000006
【図５】
2005014870.tif 000007
【図６】
2005014870.tif 000008
(57)【要約】〔課題〕自転車のカゴからの、ヒッタクリ、置き引き、盗みなど、又、雨の日の水濡れ、そして夜間の交通事故から身を守るために、光反射盤付防水盗難防止カゴカバーを提供する。〔解決手段〕本体（１）の周囲は、フリル部（２）として残し、ゴム通し部（３）を設ける。本体（１）の直線部分は、力点となるので、三ツ折りとし、着脱テープ（４）を貼着する。本体（１）の楕円部分の中央に取っ手部（５）を取り付ける。取っ手部（５）の近隣に、光反射盤（６）を固着する。【選択図】  図１
2005014881.tif 000002
【特許請求の範囲】
【請求項１】
楕円形の一端を直線とした、本体（１）を用い、フリル部（２）を残し、適宜の位置に、ゴム通し部（３）を設け、本体（１）の直線部に、着脱テープ（４）を貼着し、楕円部分の中央に、取っ手部（５）として、着脱テープを貼着する、取っ手部（５）の近隣に光反射盤（６）を固着する。光反射盤付防水盗難防止カゴカバー。
【発明の詳細な説明】
【０００１】
〔発明の属する技術分野〕
この発明は、自転車の前カゴ及び、後カゴからのハンドバック、荷物などの盗み、置き引き、ヒッタクリ等の犯罪又、雨の日の水濡れから荷物を守り夜間の交通事故から身を守ることが出来る、光反射盤付防水盗難防止カゴカバーに関するものである。
【０００２】
〔従来の技術分野〕
従来より、自転車のカゴカバーとして、ゴムネット、及びビニール製カゴカバーがあるが、ゴムネットは、中が丸見えで防水ならず、ビニール製カゴカバーは、防水製はあるが伸縮性が無く、スッポリ被う事はできるが、品物、荷物の量が増えた時、ファスナーは閉まらず、又、交通事故防止の、光反射盤が着いて無い。
【０００３】
〔発明が解決しようとする課題〕
これは、次のような欠点があった。
イ．ゴムネットは、中が丸見え。
ロ．荷物の量によっては、ゴムネットの伸縮の限界がある。
ハ．ゴムネットは、防水の目的にならず。
ニ，ビニール製カゴカバーは、防水にはなるが、伸縮性がなく、荷物が多い時には、ファナーが閉まらず、防犯の役目はない。
ホ．夜間の場合、自転車の前カゴ、後カゴに光反射盤がないので安全でない。
本発明は、以上の欠点を解決するためになされたものである。
【０００４】
〔課題を解決するための手段〕
本体（１）の直線部に、着脱テープ（４）を貼着し、本体（１）の円周部分をフリル部（２）として残し、適宜の位置にゴム通し部（３）を設ける。直線部と反対方向の楕円部分中央に着脱テープを取っ手部（５）として、取り付ける、取っ手部（５）の近隣に光反射盤（６）を固着する。
本発明は、以上の構成よりなる光反射盤付防水盗難防止カゴカバーである。
【０００５】
〔発明の実施の形態〕
以下、本発明の実施の形態を説明する。
（イ）予め、自転車のカゴの前面に、着脱テープ（４）の一方を貼着して置く。
（ロ）防水素材を用い、楕円形の一方を直線とした本体（１）を用い、直線部分に着脱テープ（４）の他の一方を貼着する。
（ハ）フリル部（２）を本体（１）の内側に折り曲げ、ゴム紐が通る程の巾を取り、袋状のゴム通し部（３）を設ける。
（ニ）フリル部（２）は、カゴの側面の防水、雨除けとなる。
（ホ）本体（１）の楕円部分の中央に、フリル部（２）に本体（１）を引き寄せ、被せて、着脱テープの他の一方を取っ手部（５）として取り付ける。
（ヘ）取っ手部（５）に近隣させて、光反射盤（６）を固着する。
（ト）ゴム通し部（３）に、ゴムヒモを通す。
（チ）他の実施側として、体体（１）の、直線部の両角に穴（８）を開口し、止メ具（９）にて、カゴに固定する。
〔本発明は、以上の構成よりなっている。
本発明を使用する時は、本体（１）の直線部に貼着した着脱テープ（４）と、カゴ後面に貼着した着脱テープを合着させる．又は本体（１）の直線部の両角に開口した穴（８）に止め具（９）によって固定する．
取っ手部（５）を手に持ち、本体（１）をカゴの上面に被いながら、カゴ前面に貼着してある着脱テープ（７）に持着する。本体（１）は、カゴの上面を被い、フリル部（２）は、カゴの側面を被う。光反射盤（６）は、夜間の対向車の光に反射する。
【０００６】
〔発明の効果〕
本発明を使用することによって、自転車の前カゴ、後カゴからのヒッタクリ、置き引き、盗みの被害が防げる。ワンタッチで、片手で、カゴカバーの開閉が出来る。本体に、ゴムの伸縮性の利用により、荷物の量が増えても、スッポリ被うことが出来る。雨の日は、本体はカゴの上面、フリル部は、カゴの側面の水濡れを防ぐことが出来る。光反射盤付きなので、夜間の交通事故から身を守り、自転車の安全運転が出来る。デザイン的にも、グットなオシャレなので、素材は、防水性とし、色、柄を変えて、ママチャリ用、女高性用、男子、一般用など、利用範囲は、大変広い。
【図面の簡単な説明】
【図１】本発明の上面展開図
【図２】本発明のフリル部を内側折りの上面図
【図３】本発明の、上面完成図
【図４】本発明のカゴ装着図
【図５】本発明の荷物積載時の図
【図６】本発明のカゴ前面図
【符号の説明】
１．  本体
２．  フリル部
３．  ゴム通し部
４．  着脱テープ
５．  取っ手部
６．  光反射盤
７．  カゴ前面図着脱テープ
８．  穴
９．  止め具
１０．折山線
【図１】
2005014881.tif 000003
【図２】
2005014881.tif 000004
【図３】
2005014881.tif 000005
【図４】
2005014881.tif 000006
【図５】
2005014881.tif 000007
【図６】
2005014881.tif 000008
(57)【要約】【課題】車のバックミラーで左側の後方確認は、できるが下方向が死角となって人を巻き込む事故が多発していた。【解決手段】後方確認用のバックミラー１を一部折り下方向及び横方向を確認できるバックミラー２を取り付ける。【選択図】  図１
2005014872.tif 000002
【特許請求の範囲】
【請求項１】
車のバックミラーに曲がりを付け、下方向及び横方向を見やすくしたバックミラー。
【発明の詳細な説明】
【０００１】
【発明の属する技術分野】
本発明は、車のバックミラーに下方向及び横方向に曲がりを付け、死角となっていた部分を見えるようにしたバックミラー。
【０００２】
【従来の技術】
従来、車のバックミラーは図２の示すように、１の部分は後方しか見えない為、特に左側の下は、死角となって見えなくなり、大型車で人を巻き込む事故が多発している。
【０００３】
【発明の実施の形態】
本発明は車のバックミラーに角度をつけて折ることにより、下方向及び横方向を見えるようにした物で、それを図面について説明すれば、バックミラー１で従来通り後方を確認し、折れたバックミラーで下方向や横方向を確認できるものである。
【０００４】
【発明の効果】
このようにすれば、今まで死角になって起きた事故が防げる。又、車でバックする時も下が見えるので便利である。
【図面の簡単な説明】
【図１】この発明の一実施形態を示す透視図である。
【図２】従来技術を示す透視図である。
【符号の説明】
１後方確認用ミラー
２下方向及び横方向確認用ミラー
【図１】
2005014872.tif 000003
【図２】
2005014872.tif 000004
(57)【要約】      （修正有）【課題】今までベビーカーに乗っている赤ちゃんは、強い日差しに照り付けられたり、虫にさされたり、直接風に吹き付けられたり、ホコリにさらされたり、また体温調節が未熟な赤ちゃんはベビーカーの中で暑くなり過ぎたりとありました。【解決手段】レースで作ったベビーカーカバーにより、日よけ、虫除け、風除け、ホコリ除けの４通りの役割を果たす事を特徴とする。また、保冷剤を入れるポケットが付いている事により、保冷剤を入れれば体温調節が未熟な赤ちゃんも快適におでかけできます。【選択図】図１
2005014871.tif 000002
【特許請求の範囲】
【請求項１】
ベビーカーにレースで作るカバーにより、日よけ、虫除け、暑さよけ、風除け、ホコリ除けが出来る事を特徴とするベビーカーカバー
【請求項２】
ＵＶカットのレースを使用する事により、キツイ紫外線をカットする事を特徴とする。
【請求項３】
レースで出来ているので虫除けになる事を特徴とする。
虫除けスプレーなどを使えない、アレルギー体質の赤ちゃんも夕方の買い物に連れて歩くには、レースカバーをかぶせる事により安心しておでかけできる事を特徴とする。
【請求項４】
レースなので、蒸れない事を特徴とする。
【請求項５】
保冷剤ポケットに保冷剤を入れられる事を特徴とする。
保冷剤を入れる事により、体温調節の未熟な赤ちゃんも快適におでかけできる事を特徴とする。
【請求項６】
やわらかいプラスチックが心棒として入っているので、風が吹いても赤ちゃんの顔にレースがかからない事を特徴とする。
【発明の詳細な説明】
【０００１】
この発明は赤ちゃんの用のベビーカーに関する。
【０００２】
日よけ、虫除け、暑さよけ、風除け、ホコリ除けが出来るベビーカー専用のカバーである。
【０００３】
〔発明が解決しようとする課題〕
今まで赤ちゃんは、ただベビーカーに乗っているだけでは、強い日差しに照り付けられたり、虫にさされたり、直接風に吹き付けられたり、ホコリにさらされるなどがありました。
そこで、この発明は赤ちゃんの日よけ、虫除け、風除け、ホコリ除けの４通りの役割を果たし、保冷剤ポケットに保冷剤を入れる事により、赤ちゃんが快適におでかけ出来ることを提供する事を課題とする。
【０００４】
ベビーカーにレースで作るカバーにより、日よけ、虫除け、暑さよけ、風除け、ホコリ除けが出来る事を特徴とするベビーカーカバー。
【０００５】
ＵＶカットのレースを使用する事により、キツイ紫外線をカットする事を特徴とする。
【０００６】
レースで出来ているので虫除けになる事を特徴とする。
虫除けスプレーなどを使えない、アレルギー体質の赤ちゃんも夕方の買い物に連れて歩くには、レースカバーをかぶせる事により安心しておでかけできる事を特徴とする。
【０００７】
レースなので、蒸れない事を特徴とする。
【０００８】
保冷剤ポケットに保冷剤を入れられる事を特徴とする。
保冷剤を入れる事により、体温調節の未熟な赤ちゃんも快適におでかけできる事を特徴とする。
【０００９】
やわらかいプラスチックが心棒として入っているので、風が吹いても赤ちゃんの顔にレースがかからない事を特徴とする。
【図面の簡単な説明】
【図１】この発明品を示す斜視図です。
【図１】
2005014871.tif 000003
(57)【要約】【課題】主に、自動車に既設された取り外し可能なマットの末端に取り付けて、マット上の小石や泥等の落下物がマット以外のスペースに飛散するのを防止するマット上落下物の飛散防止具を提供する。【解決手段】飛散防止壁（１）に取付け溝（２）を設けたことを特徴とする。【選択図】    図１
2005014873.tif 000002
【特許請求の範囲】
【請求項１】
飛散防止壁（１）に、取付け溝（２）を設けたマット上落下物の飛散防止具。
【発明の詳細な説明】
【０００１】
【発明の属する技術分野】
本発明は、主に自動車内に既設された取り外し可能なマットの末端に取り付けて、マット上の小石や泥等の落下物をマット以外のスペースに飛散するのを防止するマット上落下物の飛散防止具に関するものである。
【０００２】
【従来の技術】
従来より、マット上の小石や泥等がマット以外のスペースに飛散防止する製品で、バケット型に容器化された、既設のマット上に置くだけの、主に自動車用の汎用マットがあった。
【０００３】
【発明が解決しようとする課題】
これは次のような欠点があった。
（イ）見栄えが悪かった。
（ロ）汎用製品では、座席足元スペース設置すると、車種によりそのスペースが全て違う為、双方の形状が合致せず、違和感があった。
（ハ）汎用製品は、座席足元スペースとの、双方の形状が合致しない事から、ペダル操作時に邪魔になり、操作が困難になる場合が多く、危険性が大であった。
（ニ）汎用製品は、既設マットの存在を考慮したものではなかった。
本発明は、これらの欠点を解決する為になされたものである。
【０００４】
【課題を解決するための手段】
飛散防止壁（１）に取付け溝（２）を設ける。
本発明は、以上の構成よりなるマット上落下物の飛散防止具である。
【０００５】
【発明の実施の形態】
以下、本発明の実施の形態について説明する。
（イ）．飛散防止壁（１）と、取付け溝（２）は融合した一つのものである。
（ロ）．飛散防止壁（１）の高さは、あまり高いものではなく、凡そ１ｃｍ〜２ｃｍ程度である。
（ハ）．材質は、柔軟な素材である。
（ニ）．ある程度の長さを有している。
本発明は、以上の構成よりなっている。
本発明を使用するときは、マットの外周の長さに合わせて任意に切断し、取付け溝（２）をマットの末端に、はめ込むように取り付ける。粘着や、リベット止めが望ましい。
図３は、自動車に既設されたマットに取り付けた使用状態を示す斜視図である。実際に車に乗り込むと、当然、靴に付着した小石や泥等がマット上に散乱する。
本発明を取り付けていない場合、マット上の小石や泥等はマット以外のスペースにも散乱する。そこで、本発明を使用すると、マット上に散乱した小石や泥等が、マット以外のスペースに飛散するのを防ぐ事ができる。結果、車内に小石や泥等の落下物が散乱しなくなる。
【０００６】
【発明の効果】
本発明を使用する事で、マット上の小石や泥等の落下物が、マット以外に飛散するのを防げて、清掃の手間を大幅に軽減できる。しかも、自動車に既設されたほぼ全てのマットに簡単に取り付ける事ができる。
【図面の簡単な説明】
【図１】本発明の斜視図
【図２】本発明とマットが、合体した断面図
【図３】本発明の使用状態を示す斜視図
【符号の説明】
１．飛散防止壁
２．取付け溝
３．マット
【図１】
2005014873.tif 000003
【図２】
2005014873.tif 000004
【図３】
2005014873.tif 000005
(57)【要約】【課題】従来の車載ビデオカメラでは専門職の色彩が強く、一般大衆には普及していないのが現状である。本件では、一般大衆が手軽に同カメラを利用出来るように創意考案することを目的としており、今考えられる一般大衆向け車載ビデオカメラとして転用可能な物件に、市販のホームビデオカメラがある。然し、車両に固定されるように構造上設計されておらず、また、不必要な機能も多々内蔵されているため高額となっている。そこで、誰でも手軽に購入・取付のうえ、前方録画を容易に可能にすることを課題とする。【解決手段】本発明は、市販のホームビデオカメラ機能及び形状を利用し、車載ビデオカメラ用として録画・再生機能のみとする等機能を簡素化したうえで安価とし、台座を作成のうえ、前進走行に際し走行前方を見通せるフロントパネル上またはその近辺に固定装着し、車両の前方を録画する一般大衆向け車載ビデオカメラとする。【選択図】    図１
2005014877.tif 000002
【特許請求の範囲】
【請求項１】
車両が前進走行する際に於ける、走行する車両の前方を、録画する装置
【発明の詳細な説明】
【０００１】
【発明の属する技術分野】
本発明は、ビデオカメラ機能を有する物件に依る、自車両の前進走行する前方の状態を録画のうえ、自車両の運行を管理する装置技術に関する一般大衆向けに考案された車載ビデオカメラである。
【０００２】
【従来の技術】
従来の録画装置では、種々文献があるものの専門的な用途としての物件が多く、そのため一般大衆には馴染みが薄いことから、一般世間では全く普及されておらず、眼に触れることがないのが実態である。また、本件に最も近い文献特開２０００−２９５６０７（公開日：平成１２年１０月２０日、審査請求：未請求）にある車載ビデオカメラでは、車への取り付け等に専門知識が必要で、且つカメラ部分とデッキ部分が分割されている等一般消費者が手軽に設置・操作することが困難である。他方、一般大衆の馴染みとする録画装置としては、手で持つことにより録画・操作することを基本とするホームビデオカメラがあるが、１人で車両の運転と同時に録画操作することが困難である。また、本件に不必要な機能が多々内蔵されている。
【０００３】
【発明が解決しようとする課題】
しかし、前項で述べたように従来の録画機能を有する物件として、本件一般大衆向け車載用ビデオカメラに最も適当と判断される市販のホームビデオカメラでは、車両に固定のうえ録画するように構造上設計されていないため、車載用として転用を考えた場合、従来のホームビデオカメラを、我々使用者個人が夫々創意工夫を以て独自に車両にカメラを固定させて録画・操作する方法しかなく大衆向けとは言えない。また、不必要な機能が多々あり、高額となっているうえ、車載用としては操作・運用面で利便性にも欠けている。
そこで、本発明は、市販のホームビデオカメラ機能・形状を利用した車載用カメラを車両に固定装着を図り、操作面で運転者の手を頻繁に借りることなく、車両の前進走行する際の前方を容易に録画する一般大衆向け車載ビデオカメラとすることを課題とする。
【０００４】
【発明が解決するための手段】
上記課題を解決するために、請求項１記載の車両前方録画装置は、一般大衆が手軽に取り込み易い従来の小型軽量であるホームビデオカメラの機能・形状を利用のうえ、機能面で録画・再生機能のみとする等の簡素化を図り、車載用として利便性を持った前方録画装置としたうえで、台座を作成のうえ前面が見通せる車内フロントパネル上或いはその近辺に両面粘着テープ・ビス止め・クリップ止め・その他の固定手段に依り車両に固定させ、車両前方録画を図る。
【０００５】
【発明の実施の形態】
現在、実際に２ヵ年に亘り市販のビデオカメラを自車内フロントパネル上略々中央部に両面テープで固定させ、自車の前進走行前方の録画を実施しているが、本来車載用に設計されていないため、録画機能の操作も含め、極めて利便性（録画の停止状態は必要無く電源を入れるだけで録画を始める・テープの自動巻き戻し・現行ビデオカメラより更に画面を広角とする等）に欠けている。
本件は、以上の実施体験に基づき、考案されたものである。
【０００６】
【発明の効果】
本発明は、以上に説明したような構成により、次のような効果を奏する。
請求項１に記載されている発明は、車両前進走行中に於ける前方録画であるため、事故を起こした際の真相究明に多大に寄与することが出来る。
また、運転者或いは運転者以外の者も、録画再生のうえ運転操作を検証出来るため、無謀運転の抑止となり、挽いては事故防止の促進となる他、同時に交通違反に対する抑止効果も期待出来る等々、事故撲滅へ向けた取組みの一助となる。
【図面の簡単な説明】
【図１】ビデオカメラ機能を持った物件を、フロントパネル上に固定する場合を考えたイメージ図面であり、その他の固定方法として、サンバイザーにクリップ等で固定する等の方法もあり、本図面に特定されるものではない。
【図１】
2005014877.tif 000003
(57)【要約】〔課題〕自転車前輪後部から、はね上がる泥水を簡単な装着で遮断させようとするものである〔解決手段〕エプロン取付部は、グリップ部（１）とガイド部（２）と干渉を除く為のブリッヂ（３）、ボルト逃し窓（４）を施し、手作業による嵌込みを可能にする。【選択図】図１
2005014880.tif 000002
【特許請求の範囲】
【請求項１】
（イ）取付部分にブリッヂ（３）とガイド部（２）、グリップ部（１）を一列に設ける。
（ロ）先端方向へボルト逃し窓（４）と撓み窓（５）を設ける。
（ハ）エプロン先端部（６）は必要な長さに設定しておく。
（ニ）以上の如く構成しておき、スティー棒（９）の湾曲に合わせて、手作業で装着を可能に出来る、自転車前輪後部の泥除けのエプロンである。
【発明の詳細な説明】
【３００１】
〔発明の属する技術分野〕
この発明は自輪車前輪後部泥除け（８）の下部へ嵌込むことで装置出来るエプロンである。
【３００２】
〔従来の技術〕
従来のエプロンはボルトナットによる装置の為工具が必要であり、めんどうなことである、又互換性の確認も必要であると予想出来る
【３００３】
〔発明が解決しようとする課題〕
したがって今回の発明品の装着は手作業で実施出来装着時の確認を容易にするために発明されたのである。
【３００４】
〔課題を解決する為の手段〕
いまその構成を説明すると、
（イ）取付部分として中央に既設の泥除け固定金具（７）との干渉を避ける為、ブリッヂ部（３）とボルト逃し窓（４）を設ける。
（ロ）スティー棒（９）のＵ字形湾曲部と泥除け（８）の外側表面の接触範囲は断面Ω形状のガイド部（２）とする。
（ハ）両端はスティー棒（９）に強く装着させる為、断面をＣ形状のグリップ部（１）とする。
（ニ）手作業によりスティー棒（９）のサイズに対し余裕有る締代と強度を持って嵌込む。
（ホ）エプロン先端部（６）は走行中はね上がる泥水をガード出来る長さとしておきその中程の位置に撓み窓（５）を設ける。
以上のように装置する。
【３００５】
〔発明実施の形態〕
軟質樹脂による成形品の本発明のエプロンは自転車走行時、歩道と車道との段差等の乗り降り時の衝突にも柔軟に対応出来、その上撓み窓（５）により亀裂と、グリップ部（１）の脱落を防ぐ効果がある。
【３００６】
〔発明の効果〕
自転車走行時路面に発生したる水溜りを通過する場合、路面状態、走行速度、水深等により、ペタル上の靴上面あるいわ、パンツ裾まで泥水をかぶる事に成るが、本発明品を購入使用することにより直ちに防くことが出来る。
スティー棒（９）の多少のサイズ違いは、締付代が有る為互換性が高い発明である。
【図面の簡単な説明】
【図１】本発明の取付斜視図
【図２】本発明の取付部平面図一部の断面を含む
【図３】本発明の中央部の断面図
【図４】本発明の両端部の断面図
【図５】本発明の斜視図
【符号の説明】
１はグリップ部
２はガイド部
３はブリッヂ
４はボルト逃し窓
５は撓み窓
６はエプロン先端部
７は泥除け固定金具
８は泥除け
９はスティー棒
１０はタイヤー及びリム
【図１】
2005014880.tif 000003
【図２】
2005014880.tif 000004
【図３】
2005014880.tif 000005
【図４】
2005014880.tif 000006
【図５】
2005014880.tif 000007